(57)【要約】      （修正有）【課題】電磁シールドルームの施工コストを安くすることができるようにする。【解決手段】電磁シールド機能を備えた電磁シールドルームＡであって、電磁シールド機能を備えた部材１，２、３の少なくとも一部を熱放射パネルＢとして、温熱又は冷熱を部屋内に向けて放射可能に構成する。さらに、熱放射パネルＢで壁面５を構成する。また、熱放射パネルＢには、パネル面に沿って熱媒流路１０、１１を設けてあり、熱源装置８の熱交換機９と熱放射パネルＢとに亘って、熱交換機９によって加熱又は冷却された熱媒を熱媒流露１０、１１を通して循環させることにより、熱放射パネルＢを加熱又は冷却して、熱放射パネルＢから温熱又は冷熱を部屋Ａ内に向けて放射可能にしている。【選択図】図１
2009007850.tif 000002
【特許請求の範囲】
【請求項１】
電磁シールド機能を備えた電磁シールドルームであって、
電磁シールド機能を備えた部材の少なくとも一部を熱放射パネルとして、温熱又は冷熱を部屋内に向けて放射可能に構成してある電磁シールドルーム。
【請求項２】
前記熱放射パネルで部屋の壁面を形成してある請求項１記載の電磁シールドルーム。
【請求項３】
前記熱放射パネルには、そのパネル面に沿って熱媒流路を設けてあり、
熱源装置の熱交換器と前記熱放射パネルとに亘って、前記熱交換器によって加熱又は冷却された熱媒を前記熱媒流路を通して循環させることにより、その熱放射パネルを加熱又は冷却して、前記熱放射パネルから温熱又は冷熱を部屋内に向けて放射可能に構成してある請求項１又は２記載の電磁シールドルーム。
【発明の詳細な説明】
【技術分野】
【０００１】
本発明は、電磁シールド機能を備えた電磁シールドルームに関する。
【背景技術】
【０００２】
上記電磁シールドルームは、例えば、電磁波を使用するＰＥＴ−ＣＴ機器やＣＴ装置，レントゲン装置などの放射線照射機器を病院内に設置する場合に、電磁波の外部への漏洩を遮蔽できるように、それらの機器を設置する部屋として設けられている。
また、オフィスビルなどにおいても、電磁シールドルームを設けて、外部からの電磁波の侵入によるコンピュータなどの電子機器の誤作動や、ビル内で使用する携帯電話などの情報機器から発信される情報がビル外に漏洩するような事態を防止することも行われている。
一般に、電磁シールドルームは、電磁シールド用の導電性材料を設けてある電磁シールド専用の資材、例えば、炭素繊維などの導電性チョップを混入してあるコンクリートや、導電性金属箔や導電性メッシュを貼り付けたり埋設してあるパネルなどで、電磁シールド機能を備えた床スラブや天井スラブ，側壁などを適宜構築して設けてある（例えば、特許文献１参照）。
【０００３】
【特許文献１】特開平１１−１０７４２６号公報
【発明の開示】
【発明が解決しようとする課題】
【０００４】
一般に、室内温度の調節はエアコンなどの空調装置を設けて行われており、この空調装置は、空調空気の吹き出し口と室内空気の吸い込み口とを部屋の天井や壁などに設けるとともに、熱交換部で熱交換した空調空気を吹き出し口から室内に給気するための給気ダクトや、吸い込み口から吸い込んだ熱交換部に還気するための還気ダクトを設けて、熱交換部で温度調節した空調空気を吹き出し口から室内に吹き出しながら、室内空気を吸い込み口から吸い込んで、その室内空気を熱交換部で温度調節して、空調空気として吹き出し口から吹き出すように構成してある。
このため、磁気シールドルームにおいて、室内温度の調節をエアコンなどの空調空気の送風に依存した空調装置で行うと、給気ダクトや還気ダクトを通過しようとする電磁波の磁気シールドが難しく、磁気シールド構造が複雑化するとともに、その磁気シールド構造の施工コストも高くなり易い欠点がある。
また、例えば、病院内に設置してある磁気シールドルームなどにおいては、患者などの入室者に風が当たってドラフト（不快な気流感）を感じさせることがないように室内温度を調節したい要望もあり、吹き出し口と吸い込み口とに亘って空気が移動するエアコンなどの空調空気の送風に依存した空調装置を設置できない場合もある。
本発明は上記実情に鑑みてなされたものであって、室内空気を特に移動させることなく室内温度を調節することができ、しかも、磁気シールド構造の複雑化も回避できる磁気シールドルームを提供することを目的とする。
【課題を解決するための手段】
【０００５】
本発明の第１特徴構成は、電磁シールド機能を備えた電磁シールドルームであって、電磁シールド機能を備えた部材の少なくとも一部を熱放射パネルとして、温熱又は冷熱を部屋内に向けて放射可能に構成してある点にある。
【０００６】
〔作用及び効果〕
つまり、通常、電磁シールド機能を備えた部材は広いパネル面を備えている点に着目し、電磁シールド機能を備えた部材の少なくとも一部を熱放射パネルとして、その熱放射パネルで温熱又は冷熱を部屋内に向けて放射可能に構成してあるので、熱放射部の位置を広い領域の中から選択して設計することができ、熱放射パネルから放射される温熱又は冷熱により、室内温度を調節し易くすることができる。
従って、吹き出し口と吸い込み口とに亘って空気が移動するエアコンなどの空調装置を設置することなく、つまり、室内空気を特に移動させることなく室内温度を調節することができ、しかも、空調空気を吹き出し口から室内に給気するための給気ダクトや、吸い込み口から吸い込んだ熱交換部に還気するための還気ダクトを設けることなく、室内温度を調節することができるので、磁気シールド構造の複雑化も回避できる。
【０００７】
本発明の第２特徴構成は、前記熱放射パネルで部屋の壁面を形成してある点にある。
【０００８】
〔作用及び効果〕
熱放射パネルで部屋の壁面を形成してあるので、熱放射パネルから温熱又は冷熱を部屋内に向けて直接放射させることができ、暖房要求又は冷房要求に対して、応答性良く、部屋内を温度調節し易くすることができる。
【０００９】
本発明の第３特徴構成は、前記熱放射パネルには、そのパネル面に沿って熱媒流路を設けてあり、熱源装置の熱交換器と前記熱放射パネルとに亘って、前記熱交換器によって加熱又は冷却された熱媒を前記熱媒流路を通して循環させることにより、その熱放射パネルを加熱又は冷却して、前記熱放射パネルから温熱又は冷熱を部屋内に向けて放射可能に構成してある点にある。
【００１０】
〔作用及び効果〕
熱源装置の熱交換器と熱放射パネルとに亘って、熱交換器によって加熱又は冷却された熱媒を、熱放射パネルのパネル面に沿って設けてある熱媒流路を通して循環させることにより、その熱放射パネルを加熱又は冷却するので、エアコンの室内機のような露出型の空調用機器を部屋内に特に設置することなく、つまり、部屋内を有効に活用できるようにしながら、熱放射パネルを略全面に亘って効率良く加熱又は冷却することができる。
【発明を実施するための最良の形態】
【００１１】
以下に本発明の実施の形態を図面に基づいて説明する。
〔第１実施形態〕
図１は、本発明による電磁シールド機能を備えた電磁シールドルームＡを示し、この電磁シールドルームＡは、病院内において放射線照射機器としての、例えばレントゲン装置で人体を検査するための部屋として設けてあり、電磁波としてのレントゲン装置から出たＸ線の外部への漏洩を遮蔽する電磁シールド機能を備えた部材の少なくとも一部を熱放射パネルＢとして、その熱放射パネルＢの温熱又は冷熱を部屋内に向けて放射可能に構成してある。
【００１２】
前記電磁シールドルームＡは、炭素繊維などの導電性材料で形成したチョップを混入してあるコンクリートを打設することにより、電磁シールド機能を備えた鉄筋コンクリート製の床スラブ１と天井スラブ２とを構築するとともに、電磁シールド機能を備えた部屋側壁３で床スラブ１と天井スラブ２との間を囲んで設けてあり、図示しないが、出入り用の扉などにも電磁シールド機能を備えさせてある。
【００１３】
前記部屋側壁３は、通常の鉄筋コンクリート製の厚さが１００ｍｍ程度の壁本体４の部屋内側の面に、略全面に亘って、電磁シールド用の導電性金属板５、例えば厚さが１ｍｍ程度の鉛板を接着、或いは、ビス止めなどによって固定して電磁シールド機能を備えさせてある。
【００１４】
前記熱放射パネルＢは、部屋の内側壁面を形成している鉛板５で兼用してあり、その鉛板５を床スラブ１の略上面位置に沿って電磁シールドルームＡの外側に延設するとともに、その延設部分５ａの内部に一連の熱媒流路６を形成する熱媒配管７を埋設してある。
【００１５】
そして、熱媒配管５と、熱源装置としての空調用室外機８の熱交換器９とを、熱媒循環路１０を形成する熱媒循環配管１１で接続して、熱交換器９によって加熱又は冷却された熱媒を熱媒循環路１０で熱交換器９と鉛板５の延設部分５ａとに亘って循環させることにより、熱放射パネルＢを加熱又は冷却して、熱放射パネルＢから温熱又は冷熱を部屋内に向けて放射可能に構成してある。
尚、鉛板５の延設部分５ａは発泡ウレタンなどの断熱材１２で覆ってある。
【００１６】
〔第２実施形態〕
図２は、第１実施形態の変形例を示し、熱放射パネルＢを構成している鉛板５の内部に一連の熱媒流路６をパネル面の略全面に沿って形成する熱媒配管７を埋設してあるとともに、その熱媒配管７と、室外機８の熱交換器９とを、熱媒循環路１０を形成する熱媒循環配管１１で接続して、熱交換器９によって加熱又は冷却された熱媒を、熱媒流路６を通して、熱媒循環路１０で熱交換器９と熱放射パネルＢとに亘って循環させることにより、その熱放射パネルＢを加熱又は冷却して、熱放射パネルＢから温熱又は冷熱を部屋内に向けて放射可能に構成してある。
その他の構成は第１実施形態と同様である。
【００１７】
〔第３実施形態〕
図３は、本発明による電磁シールド機能を備えた電磁シールドルームＡの別実施形態を示し、電磁シールド用の鉛板５を埋設してある通常コンクリート製の部屋側壁３で床スラブ１と天井スラブ２との間を囲んで、電磁シールドルームＡを設けてある。
【００１８】
そして、熱放射パネルＢを構成している鉛板５を床スラブ１の略上面位置に沿って電磁シールドルームＡの外側に延設するとともに、その延設部分５ａの内部に一連の熱媒流路６を形成する熱媒配管７を埋設してある。
【００１９】
本実施形態によれば、熱放射パネルＢから放射される温熱又は冷熱を部屋側壁３に蓄熱して、その部屋側壁３から部屋内に向けて放射させることができる。
その他の構成は第１実施形態と同様である。
【００２０】
〔第４実施形態〕
図４は、第３実施形態の変形例を示し、熱放射パネルＢを構成している鉛板５の内部に一連の熱媒流路６をパネル面に沿って形成する熱媒配管７を埋設してあるとともに、熱媒配管７と、室外機８の熱交換器９とを、熱媒循環路１０を形成する熱媒循環配管１１で接続して、熱交換器９によって加熱又は冷却された熱媒を、熱媒流路６を通して、熱媒循環路１０で熱交換器９と熱放射パネルＢとに亘って循環させることにより、その熱放射パネルＢを加熱又は冷却して、熱放射パネルＢから温熱又は冷熱を部屋内に向けて放射可能に構成してある。
その他の構成は第３実施形態と同様である。
【００２１】
〔その他の実施形態〕
１．本発明による電磁シールドルームは、熱放射パネルのみを電磁シールド機能を備えた部材として設けてあっても良い。
２．本発明による電磁シールドルームは、部屋を囲む床や天井，側壁の一部にのみに電磁シールド機能を備えさせてあっても良い。
３．本発明による電磁シールドルームは、熱放射パネルを、部屋を囲む床や天井，側壁とは別に独立して設けてあっても良い。
４．本発明による電磁シールドルームは、熱放射パネルを、部屋を囲む床や天井に一体に設けてあっても良い。
５．本発明による電磁シールドルームは、部屋を囲む床や天井，側壁の一部にのみ熱放射パネルを一体に設けてあっても良い。
６．本発明による電磁シールドルームは、ジュール熱により加熱される熱放射パネルを設けてあっても良い。
７．本発明による電磁シールドルームは、ペルチェ効果により、加熱又は冷却される熱放射パネルを設けてあっても良い。
８．本発明による電磁シールドルームは、導電性の金属箔で電磁シールド機能を備えさせてある熱放射パネルを設けてあっても良い。
９．本発明による電磁シールドルームは、オフィスビルなどにおける事務用の部屋として設けてあっても良い。
１０．本発明による電磁シールドルームは、Ｘ線以外の各種電磁波の漏洩や侵入を遮蔽するために設けてあっても良い。
【図面の簡単な説明】
【００２２】
【図１】電磁シールドルームの概略縦断面図
【図２】第２実施形態を示す電磁シールドルームの概略縦断面図
【図３】第３実施形態を示す電磁シールドルームの概略縦断面図
【図４】第４実施形態を示す電磁シールドルームの概略縦断面図
【符号の説明】
【００２３】
Ｂ  熱放射パネル
６  熱媒流路
８  熱源装置
９  熱交換器
【図１】
2009007850.tif 000003
【図２】
2009007850.tif 000004
【図３】
2009007850.tif 000005
【図４】
2009007850.tif 000006